(57)【要約】  異なる粒子をふるい分けるための改良トロンメルアセンブリ（１）は、互いに取り外し可能に取り付けられる複数のモジュラーユニット（２）を備え、各モジュラーユニットは、別の対応する１又は複数のユニット（２）の対応する１又は複数のフランジ（３）に強固に取り付けられるように適合されたフランジ（３）を有する。
2015528387.tif 000002
【特許請求の範囲】
【請求項１】
異なる粒子をふるい分けるための改良トロンメルアセンブリであって、
互いに取り外し可能に取り付けられる複数のモジュラーユニット（２）を備え、各モジュラーユニットは、別の対応する１又は複数のユニット（２）の対応する１又は複数のフランジ（３）に強固に取り付けられるように適合されたフランジ（３）を有する改良トロンメルアセンブリ。
【請求項２】
一つのモジュラーユニット（２）の前記フランジ（３）は、複数の板または溝状部材（７）によって、本明細書に記述したような適切な固定手段を用いて、別の前記ユニット（２）の対応するフランジ（３）に取り付けられ、
前記複数の板または溝状部材（７）は、各モジュラーユニット（２）の端部に配置され、各フランジ（３）は、別のモジュール（２）の対応するフランジ（３）に対する接合を可能にするためのアレイ状に配列された複数の穴（９）を有する、請求項１に記載の改良トロンメルアセンブリ。
【請求項３】
２つのフランジ（３）間毎に、複数の梁部材（４）及び複数の横梁部材（５）が設けられ、
メイン負荷支持部材として機能する前記複数の梁部材（４）、及び応力を分散及び吸収するように適合された前記複数の横梁部材（５）は、異なる断面を備える請求項２に記載の改良トロンメルアセンブリ。
【請求項４】
前記横梁部材（５）を前記フランジ（３）と前記梁部材（４）とに固定するためにプレート（８）が適用され、
各横梁部材（５）及び各梁部（４）の２つの端部はどちらかの端部において一フランジ（３）本体に取り付けられている請求項３に記載の改良トロンメルアセンブリ。
【請求項５】
前記プレート（８）は、構造体全体が堅固に維持できるように標準的溶接方法を用いて前記梁部材（４）の表面とフランジ（３）の表面とに溶接される所定の大きさに面取りされたプレートである請求項４に記載の改良トロンメルアセンブリ。
【請求項６】
リブ（１１）とアングル材（１０）とからなるアセンブリは、前記梁部材（４）を前記フランジ（３）に固定するために溶接によって一体化される請求項４及び５に記載の改良トロンメルアセンブリ。
【請求項７】
１つの前記アングル材（１０）に前記リブ（１１）が２つずつ溶接され、
前記梁部材（４）は、前記アングル材（１０）に溶接され、
前記梁部材は、溶接によって前記フランジ（３）に固定されている請求項６に記載の改良トロンメルアセンブリ。
【請求項８】
トロンメル構造体をボルト連結などの適切な固定手段を適用するミル排出面に接合するためのトランジションピース（３’）が設けられ、
前記トランジションピース（３’）は、前記トロンメル構造体（１）から前記ミル排出面への負荷伝達を可能にするフロントフランジ（３”）と複数のリブ（１１’）とを有する請求項１〜７の何れか一項に記載の改良トロンメルアセンブリ。
【請求項９】
ポリウレタンまたはゴムによって構成されるモジュラートロンメルふるいパネルが前記トロンメルアセンブリ（１）の内側に固定されて前記構造体は完成し、使用可能となる請求項１〜８の何れか一項に記載の改良トロンメルアセンブリ。
【請求項１０】
実質的に本明細書において、特に添付図面を参照しながら、説明したものである改良トロンメルアセンブリ。
【発明の詳細な説明】
【技術分野】
【０００１】
本発明は、概して、トロンメルふるいアセンブリに関し、特に、拡張可能で、運びやすく、組み立てやすい、実質的に軽量化されたモジュール式ふるいアセンブリを備える改良トロンメルふるいアセンブリに関する。
【背景技術】
【０００２】
トロンメル（ドイツ語のドラムに由来する）は、物質を大きさによって分離するために使われるふるい用シリンダーであり、例えば、家庭用のゴミから生物分解性断片を分けることや破砕した鉱物を大きさ別に分けることに用いられる。
【０００３】
トロンメルまたは回転式ふるいは、最も古いふるい装置の一つであり、限界速度の３５％〜４５％間で回転する円筒ふるいである。トロンメルは、そのシリンダーに沿って物資を運ぶために、水平面に対し小さい角度で取り付けられるか、または、一連の内部バッフルを使う。トロンメルは、最も微細なものから最も粗いものまでの一連のトロンメルふるいを用いることで、様々なサイズの生産物を運ぶことができるように構成され得る。
【０００４】
可搬式トロンメル（可搬式トロンメルふるいとも呼ばれる）は、様々な種類の廃棄物から有機的生産物を生産する際に使われる。
例えば、掘削業者は、現場の瓦礫を、農場や苗床や現場工事用によく売れる表土と、骨材用または造園工事用の清浄な岩石といった二つの分画に分けることがある。これにより、掘削業者は、廃棄物を再販することができるようになり、廃棄物の処理費用を負担せずにすむ。
【０００５】
トロンメルは、骨材ふるい分け工場やミル排出物のふるい分けを含むいくつかのふるいわけ作業に使われる。ＡＧ、ＳＡＧ及びボールミルは排出物流れを排出する。ＡＧ、ＳＡＧ及びボールミルからの排出物流れは、ボールスキャット(ball scats)が後続の処理機器に到達することを防止するために、また、ミル内での小石の堆積を防止するために、通常、ミル排出口に取り付けられたトロンメルふるい機を通過する。
【０００６】
金鉱採掘や洗浄工場での生物分解性物質の分離などの様々な産業でトロンメルを使うことは常識であるけれども、しかし、入手可能なものは複雑で、高価で、そしてその重さのせいで運搬困難なものばかりである。結果として、空輸や海上輸送中に多くの障害に遭遇することになる。
【０００７】
このことから、拡張可能で、運びやすく、組み立てやすく、実質的に低重量で、同時に技術的に欠点のない改良トロンメルアセンブリを提供することが長年必要とされている。
本発明は、上述した長年の要求を満たすことができる。
【発明の概要】
【発明が解決しようとする課題】
【０００８】
本発明の主な目的は、拡張可能で、運びやすく、組み立てやすく、軽量で技術的な欠点が実質的にない改良トロンメルアセンブリを提供することにある。
本発明の別の目的は、構造体要素の応力と位置ずれを確実に限度内にする改良トロンメルアセンブリを提供することである。
【０００９】
どのようにして前述の目的が達成されるか及び本発明の他の側面は、以下の説明から明らかになるが、以下の説明は本発明の理解のためであって、これに限るものではない。
【課題を解決するための手段】
【００１０】
従って、本発明は、異なる粒子をふるい分けるための改良トロンメルアセンブリであって、互いに取り外し可能に取り付けられる複数のモジュラーユニットを備え、各モジュラーユニットは、別の対応する１又は複数のユニットの対応する１又は複数のフランジに強固に取り付けられるように適合されたフランジを有する改良トロンメルアセンブリを提供する。
【００１１】
本発明に従う好ましい実施形態のトロンメルアセンブリによれば、一つのモジュラーユニットの前記フランジは、複数の板または溝状部材によって、本明細書に記述したような適切な固定手段を用いて、別の前記ユニットの対応するフランジに取り付けられ、前記複数の板または溝状部材は、各モジュラーユニットの端部に配置され、各フランジは、別のモジュールの対応するフランジに対する接合を可能にするためのアレイ状に配列された複数の穴を有する。
【００１２】
本発明に従う好ましい実施形態のトロンメルアセンブリによれば、２つのフランジ間毎に、複数の梁部材及び複数の横梁部材が設けられ、メイン負荷支持部材として機能する前記複数の梁部材、及び応力を分散及び吸収するように適合された前記複数の横梁部材が異なる断面を備える。
【００１３】
本発明に従う好ましい実施形態のトロンメルアセンブリによれば、前記横梁部材を前記フランジと前記梁部材とに固定するためにプレートが適用され、各横梁部材及び各梁部の２つの端部はどちらかの端部において一フランジ本体に取り付けられている。
【００１４】
本発明に従う好ましい実施形態のトロンメルアセンブリによれば、前記プレートは、構造体全体が堅固に維持できるように標準的溶接方法を用いて前記梁部材の表面とフランジの表面に溶接される所定の大きさに面取りされたプレートである。
【００１５】
本発明に従う好ましい実施形態のトロンメルアセンブリによれば、リブとアングル材とからなるアセンブリが、前記梁部材を前記フランジに固定するために溶接によって一体化される。
【００１６】
本発明に従う好ましい実施形態のトロンメルアセンブリによれば、１つの前記アングル材に前記リブが２つずつ溶接され、前記梁部材は前記アングル材に溶接され、前記梁部材は溶接によって前記フランジに固定されている。
【００１７】
本発明に従う好ましい実施形態のトロンメルアセンブリによれば、トロンメル構造体をボルト連結などの適切な固定手段を適用するミル排出面に接合するためのトランジションピースが設けられ、前記トランジションピースは、前記トロンメル構造体から前記ミル排出面への負荷伝達を可能にするフロントフランジと複数のリブとを有する。
【００１８】
本発明に従う好ましい実施形態のトロンメルアセンブリによれば、ポリウレタンまたはゴムによって構成されるモジュラートロンメルふるいパネルが前記トロンメルアセンブリの内側に固定されて前記構造体は完成し、使用可能となる。
【００１９】
本発明の性質及び範囲は図面に従って、よりよく理解されるが、図面において本実施形態の図面であって、これに限るものではない。
【図面の簡単な説明】
【００２０】
【図１】（ａ）（ｂ）（ｃ）は、それぞれ本発明に従う好ましい実施形態のモジュール式トロンメルアセンブリの斜視図、正面図、および側面図。
【図２】（ａ）（ｂ）（ｃ）は、それぞれモジュール式トロンメルアセンブリの１８０°部分モジュールユニットの斜視図、上面図、および平面図。
【図３】（ａ）（ｂ）は、それぞれトロンメルアセンブリのアングル部の斜視図、および正面図。
【図４】（ａ）（ｂ）は、それぞれトロンメルアセンブリのリブの斜視図、および正面図。
【図５】（ａ）（ｂ）は、それぞれトロンメルアセンブリの負荷支持部材すなわち梁部の斜視図、および正面図であり、（ｃ）は、トロンメルアセンブリの溝状部材の斜視図であり、（ｄ）は、トロンメルアセンブリのフランジの斜視図。
【図６】は、トロンメルアセンブリの横梁部材の斜視図。
【図７】（ａ）（ｂ）は、それぞれトロンメルアセンブリの面取プレートの斜視図、および上面図。
【図８】（ａ）（ｂ）は、それぞれトロンメルアセンブリの仕切りを有するトランジションピースの斜視図、および正面図。
【発明を実施するための形態】
【００２１】
以下、本発明の本実施形態を表すが、単に本発明の理解のためのものであり、本発明を限定することを目的とするものではない。
本発明に従うトロンメルアセンブリは、発明の課題の欄で述べたような所要の目的を達成するためのモジュラーユニットを備える。
【００２２】
図面では、同様の特徴的構成に同様の部材番号を付した。以下、本発明を説明する目的のため、図面を一つずつ参照する。
本発明によると、図１ａ、１ｂ、１ｃに示すように、トロンメルアセンブリの全体は、図２ａに最も良く示される複数のモジュラーユニット（２）によって構成される。モジュラー分割ユニット２は異なる大きさのものであってもよく、また異なる寸法の複数の要素から構成される。複数の要素を有するそのようなユニット（２）のいくつかは、本発明に従うモジュラー式トロンメルアセンブリを形成するように適切に固定される。各モジュラー要素（２）は、トロンメルアセンブリ（１）全体の構造を堅固にするため、構成と大きさの異なる複数の要素を備える。
【００２３】
図１ａはモジュラートロンメルアセンブリの斜視図を示し、図１ｂは当該アセンブリの正面図と側面図をそれぞれ示す。
次に、どのようにモジュラーユニット（２）とそのユニットの様々な部品が接続されているかを後続の図面を参照しながら説明する。
【００２４】
まず、本発明のモジュラーユニット（２）の１８０°部分を示す図２ａを参照すると、各ユニットはフランジ（３）を備える。詳述すると、図２ａは、互いに接合された少なくとも２つのフランジ（３）を示す。複数のユニット（２）は、実際にトロンメル構造体を構成するために組み立てられる。
【００２５】
図２ｂは、図２ａに示されるユニットの正面図であり、図２ｃはその上面図である。
各モジュラーユニット（２）は、トロンメル構造体全体の大きさ及び長さに応じて異なる厚さを有し得るフランジ（３）からなる。フランジ（３）は、トロンメルアセンブリを形作るため、適切な固定手段を用いて他のユニット（２）の対応するフランジ（３）と接合できるようにアレイ状に配列された複数の穴（９）を有する。固定手段は、様々な種類のボルトやリベット、あるいは、２つ又はそれ以上の部品を一つに固定するための固定機構でもよい。全ての固定手段は、各部品と全体構造体が安全に機能するように、強度限界と疲労度限界についての試験がされる。図５ｄは、各モジュラーユニット（２）のフランジ（３）の詳細を示している。フランジは、任意の構造材料から製造され得るが、各モジュラーユニット（２）の重要な一体的部品である。
【００２６】
図２ａに示すように、２つのフランジ（３）間毎にメイン負荷支持部材としての梁部（beam sections）（４）が設けられており、それら２つのフランジ（３）間にある横梁部材（cross members）（５）は、応力を吸収及び分散し、異なる断面をなしている。図５ａは、一梁部（４）の詳細な斜視図を示し、図５ｂはその正面図を示している。図６は、一横梁部材（５）の斜視図を示している。
【００２７】
負荷支持部材（４）は、用途に応じて寸法が異なり得る任意の種類の梁要素であってよい。同様に、応力の分散や構造体の維持に役立つ横梁部材（５）は、トロンメルの構造に応じて異なる寸法を有し得る。
【００２８】
再度図２ａに戻ると、プレート（８）は横梁部材（５）をフランジ（３）と梁部すなわち負荷支持部材（４）とに固定するために適用されていることが分かる。各横梁部材（５）及び各梁部（４）の２つの端部は、どちらかの端部において、一フランジ（３）本体に取り付けられる。プレート（８）は、構造体全体が堅固に維持できるように標準的溶接方法を用いて梁部（４）表面とフランジ（３）表面とに溶接される所定の大きさに面取りされたプレートであってよい。図７ａは、面取プレート（８）の斜視図であり、図７ｂはその上面図である。
【００２９】
図２ａに示すように、２つのモジュラー部（２）の２つのフランジ（３）は、複数の板または溝状部材（７）によって接合される。これらは各ユニット２の両端部に配置されている。これら板（７）は、上述した適切な固定手段を用いて２つの異なるモジュール（２）の接合を容易にする。図５ｃは、２以上のモジュラー部（２）の固定を可能にする貫通穴（１５）を備える溝状部材または板（７）の斜視図である。
【００３０】
図２ａにおいて参照符号６によって表される部分は、負荷支持部材（４）をフランジ（３）に固定すべく、溶接によって一体化されたリブとアングル材とからなるアセンブリである。図４ａと図４ｂに詳細に示すように、このユニット（６）は、２つのリブ（１１）によって構成される。これらのリブ（１１）は、図３ａと図３ｂに示すアングル材（１０）と溶接される。それがこのアングル材（１０）であり、このアングル材（１０）には標準的溶接方法で梁部（４）が溶接され、このアングル材（１０）はやはり溶接によってフランジ（３）に固定される。
【００３１】
図１ａと図８ａと図８ｂとに戻ると、トランジションピース（３’）もモジュール式部品であり、適切な固定手段によって互いに固定された後には、トロンメル構造体をミル排出面にボルトを用いて接合するのに役立つ。図１ａと図８ａに最もよく示されているフロントフランジ（３”）は、本発明に従うトロンメルアセンブリのトランジションピース（３’）の一部である。トランジションピース（３’）のリブ（１１’）または部品は、任意の構造材によって構成することができ、ボルト連結を介して、トロンメル構造体（１）からミル排出面に負荷を伝達できるようにする。
【００３２】
こうしてモジュラー式トロンメルアセンブリは、従来通りミル端部に固定された状態で機能し、そのミルとともに回転し、そしてトロンメルふるいパネルの開口サイズに応じた異なる粒径レンジにふるい分けるように効果的に機能する。このアセンブリは軽量で、本発明の目的を達成する。
【００３３】
このように、複数の同一のモジュラーユニット２をたがいに固定することによってトロンメルアセンブリを組み立て、それをミル端部に固定することによって本発明の目的を達成することができる。
【００３４】
モジュールの構成要素または部品は、ステンレス鋼や軟鋼等の様々な構造材料で構成される。
ポリウレタンまたはゴムによって構成されるモジュラートロンメルふるいパネルがトロンメルの内側に固定されてトロンメルは完成し、使用可能となる。パネルの固定は、ボタン式固定又はボルト留め固定などの種々の様式であり得る。
【００３５】
複数のモジュラーユニットは、輸送用コンテナや、輸送用トラックや、輸送用バン等に積まれて、その後、クレーンや支持機構を用いて搬出できる所望の現場に運ばれ、固定手段を使って組み立てられる。そして、その構造体全体がボルトによってミル排出に固定され得る。
【００３６】
もし、いずれかのモジュールが損傷した場合には、本発明によれば、トロンメル全体を交換するのではなく、損傷したモジュールを交換するだけで済み、これにより、顧客の時間と金銭の節約をもたらす。
【００３７】
上記の説明から、そして特許請求の範囲から、本発明の目的が達成されることは明確であろう。
いくつかの図面と好ましい実施形態を参照しながら本発明を説明したが、単に理解を意図したものであり限定を意図したものではない。上記の説明した範囲において及び添付の特許請求の範囲で全ての変更例が本発明に含まれる。
【図１ａ】
2015528387.tif 000003
【図１ｂ】
2015528387.tif 000004
【図１ｃ】
2015528387.tif 000005
【図２ａ】
2015528387.tif 000006
【図２ｂ】
2015528387.tif 000007
【図２ｃ】
2015528387.tif 000008
【図３ａ】
2015528387.tif 000009
【図３ｂ】
2015528387.tif 000010
【図４ａ】
2015528387.tif 000011
【図４ｂ】
2015528387.tif 000012
【図５ａ】
2015528387.tif 000013
【図５ｂ】
2015528387.tif 000014
【図５ｃ】
2015528387.tif 000015
【図５ｄ】
2015528387.tif 000016
【図６】
2015528387.tif 000017
【図７ａ】
2015528387.tif 000018
【図７ｂ】
2015528387.tif 000019
【図８ａ】
2015528387.tif 000020
【図８ｂ】
2015528387.tif 000021
【国際調査報告】
2015528387.tif 000022
2015528387.tif 000023
2015528387.tif 000024